(57)【要約】【課題】  液晶パネルなどの表示装置がノイズ源となっている場合、撮影感度を鑑みずにＣＣＤから信号の読み出しを行う際に常にＯＦＦにすると、撮影者の意図に関わらず常にＬＣＤ表示が消えることになり使いづらいカメラになってしまう。【解決手段】  撮像した静止画像及び或いは動画像を記録媒体に記録及び再生表示する画像処理装置であって、画像を撮像する手段と、画像を記録する手段と、装置全体を制御する手段と、画像を表示する手段とを有し、前記制御手段は、撮像手段の出力画像信号を記録手段に記録する直前に表示手段を停止する手段と、撮像手段の出力画像信号を記録手段に記録した直後に表示手段を再度起動する手段と、を備えたことを特徴とする画像処理装置。【選択図】  図３
2008072326.tif 000002
【特許請求の範囲】
【請求項１】
撮像した静止画像及び或いは動画像を記録媒体に記録及び再生表示する画像処理装置であって、
画像を撮像する手段と、
画像を記録する手段と、
装置全体を制御する手段と、
画像を表示する手段とを有し、
前記制御手段は、
撮像手段の出力画像信号を記録手段に記録する直前に表示手段を停止する手段と、
撮像手段の出力画像信号を記録手段に記録した直後に表示手段を再度起動する手段と、
を備えたことを特徴とする画像処理装置。
【請求項２】
請求項１に記載の画像処理装置において、
撮像する画像の感度を決定する手段と、
前記決定された感度に応じて制御する手段と、
を備えたことを特徴とする画像処理装置。
【請求項３】
請求項１に記載の画像処理装置において、
撮像する画像の露出の値を決定する手段と、
前記決定された露出の値に応じて制御する手段と、
を備えたことを特徴とする画像処理装置。
【請求項４】
請求項１に記載の画像処理装置において、
シャッタースピードを決定する手段と、
前記決定されたシャッタースピードに応じて制御する手段と、
を備えたことを特徴とする画像処理装置。
【請求項５】
請求項１に記載の画像処理装置において、
露出時間を決定する手段と、
前記決定された露出時間に応じて制御する手段と、
を備えたことを特徴とする画像処理装置。
【請求項６】
請求項１に記載の画像処理装置において、
一回の操作で複数の画像を連続して撮像する手段と、
連続して撮像した画像を表示する手段と、
前記連続撮像手段と、前記表示手段を交互に実行する制御手段と、
を備えたことを特徴とする画像処理装置。
【発明の詳細な説明】
【技術分野】
【０００１】
本発明は、静止画像や動画像を撮像、記憶、通信、記録、再生する画像処理装置に関する。
【背景技術】
【０００２】
近年、電子カメラにおいては、暗所でも手軽にぶれのない画像の撮影が可能となるように撮影感度を上げて撮影を行えるような仕組みの提供と、さらなる小型化が実現されたカメラ装置の提供が望まれている。
【０００３】
ＣＣＤなどの撮像デバイスは、感度を上げて撮影する場合、装置内部での他のデバイスからのノイズに対しても影響されやすくなる。ところが、カメラ装置の小型化を実現する上で、撮像デバイスとノイズ源となるデバイスの間で十分な距離が確保できず、撮像した画像にノイズが記録されてしまうことがあった。
【０００４】
このため、撮影を行う際に撮像デバイスとノイズの発生源となるデバイスとを併せて制御を行うことで、撮影した画像にノイズが記録されてしまうことを防ぐ方法が提案されている。
【特許文献１】特開２００３−２５９２２２号公報
【発明の開示】
【発明が解決しようとする課題】
【０００５】
従来のカメラ装置では、製品の容積を増やさないようにすると、装置内部で撮像デバイスとノイズ源となるデバイスの距離が十分に確保できず、撮影感度を上げた場合に撮影した画像にノイズが乗ってしまうことがあった。また、ノイズ源のデバイスを一律で制御した場合には、次のような課題があった。例えば、液晶パネルなどの表示装置がノイズ源となっている場合、撮影感度を鑑みずにＣＣＤから信号の読み出しを行う際に常にＯＦＦにすると、撮影者の意図に関わらず常にＬＣＤ表示が消えることになり使いづらいカメラになってしまう。
【課題を解決するための手段】
【０００６】
上記課題を達成するために、撮像した静止画像及び或いは動画像を記録媒体に記録及び再生表示する画像処理装置であって、画像を撮像する手段と、画像を記録する手段と、装置全体を制御する手段と、
画像を表示する手段とを有し、前記制御手段は、撮像手段の出力画像信号を記録手段に記録する直前に表示手段を停止する手段と、撮像手段の出力画像信号を記録手段に記録した直後に表示手段を再度起動する手段と、を備えたことを特徴とする画像処理装置を提供する。
【発明の効果】
【０００７】
高感度の画像が撮影でき、かつ小さな筐体のカメラを提供することが可能となる。
【発明を実施するための最良の形態】
【０００８】
〔実施例１〕
［システム構成］
図１は本発明おけるシステムの構成を示した図である。
５０は撮像装置１００全体を制御するシステム制御回路である。
【０００９】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１０】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１１】
２０は画像処理回路であり、Ａ／Ｄ変換器１６からのデータ或いはメモリ制御回路２２からのデータに対して所定の画素補間処理や色変換処理を行う。
【００１２】
また、画像処理回路２０においては、撮像した画像データを用いて所定の演算処理を行う。そして、得られた演算結果に基づいてシステム制御回路５０が以下の制御を行う。
【００１３】
つまり、露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１４】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１５】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１６】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１７】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００１８】
画像表示部２８を用いて撮像した画像データを逐次表示すれば、電子ファインダー機能を実現することが可能である。
【００１９】
また、画像表示部２８は、システム制御回路５０の指示により任意に表示をＯＮ／ＯＦＦすることが可能であり、表示をＯＦＦにした場合には撮像装置１００の電力消費を大幅に低減することが出来る。
【００２０】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。
【００２１】
また、メモリ３０はシステム制御回路５０の作業領域としても使用することが可能であり、システム制御回路５０の動作用の定数、変数、プログラム等を記憶することも可能である。
【００２２】
３２は適応離散コサイン変換（ＡＤＣＴ）、ウェーブレット変換等により画像データを圧縮伸長する圧縮・伸長回路であり、メモリ３０に格納された画像を読み込んで圧縮処理或いは伸長処理を行い、処理を終えたデータをメモリ３０に書き込む。
【００２３】
３１は電気的に消去・記録可能な不揮発性メモリであり、例えばＥＥＰＲＯＭ、フラッシュメモリ等が用いられる。
【００２４】
３３は、システムは日付、時刻等の実時間を計時可能なリアルタイムクロックであり、システムのメイン電源８６とは独立した電源を備え、メインの電源８６が入っていない期間でも動作を続けることができる機能を有する。
【００２５】
４０は絞り機能を備えるシャッター１２を制御する露光制御手段であり、フラッシュ４８と連携することによりフラッシュ調光機能も有するものである。
【００２６】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００２７】
４８はフラッシュであり、ＡＦ補助光の投光機能、フラッシュ調光機能も有する。
【００２８】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２９】
５４はシステム制御回路５０でのプログラムの実行に応じて、文字、画像、音声等を用いて動作状態やメッセージ等を表示する液晶表示装置、スピーカー等の表示部である。そして、撮像装置１００の操作部近辺の視認し易い位置に単数或いは複数個所設置され、例えばＬＣＤやＬＥＤ、発音素子等の組み合わせにより構成されている。
【００３０】
また、表示部５４は、その一部の機能が光学ファインダー１０４内に設置されている。
【００３１】
表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、外部コンピュータとの接続状態を示す表示、等がある。
【００３２】
また、表示部５４の表示内容のうち、光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【００３３】
さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。
【００３４】
そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００３５】
ここで、これらの操作手段の具体的な説明を行う。
【００３６】
６０は電源スイッチ（メインスイッチ）で、画像処理装置１００の電源オン、電源オフの各モードを切り替え設定することが出来る。また、画像処理装置１００に接続された各種付属装置の電源オン、電源オフの設定も合わせて切り替え設定することが出来る。
【００３７】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３８】
６４はシャッタースイッチＳＷ２で、不図示のシャッターボタンの操作完了でＯＮとなる。撮像素子１２から読み出した信号をＡ／Ｄ変換器１６、メモリ制御回路２２を介してメモリ３０に画像データを書き込む。露光処理、画像処理回路２０やメモリ制御回路２２での演算を用いた現像処理を行う。メモリ３０から画像データを読み出し、圧縮・伸長回路３２で圧縮を行う。そして、記録媒体２００に画像データを書き込む記録処理という一連の処理の動作開始を指示する。
【００３９】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像表示ＯＮ／ＯＦＦボタン、圧縮モードスイッチ、撮影直後に撮影した画像データを画像表示部２８を用いて自動再生表示するクイックレビュー機能を設定するクイックレビュースイッチ、撮影及び或いは再生及び或いは通信を実行する際に各種機能の選択及び切り替えを設定する選択／切り替えスイッチ、撮影及び或いは再生及び或いは通信を実行する際に各種機能の決定及び実行を設定する決定／実行スイッチ等がある。
【００４０】
なお、圧縮モードスイッチにおいては、ＪＰＥＧ（Ｊｏｉｎｔ  Ｐｈｏｔｏｇｒａｐｈｉｃ  Ｅｘｐｅｒｔ  Ｇｐｏｕｐ）圧縮の圧縮率を選択するため、或いは撮像素子の信号をそのままディジタル化して記録媒体に記録するＣＣＤＲＡＷモードを選択するためのスイッチである。
【００４１】
ＪＰＥＧ圧縮のモードは、例えばノーマルモードとファインモードが用意されている。撮像装置１００の利用者は、撮影した画像のデータサイズを重視する場合はノーマルモードを、撮影した画像の画質を重視する場合はファインモードを、それぞれ選択して撮影を行うことが出来る。
【００４２】
ＪＰＥＧ圧縮のモードに於いては、撮像素子１４から読み出されてＡ／Ｄ変換器１６、画像処理回路２０、メモリ制御回路２２を介して、メモリ３０に書き込まれた画像データを読み出し、圧縮・伸長回路３２により設定した圧縮率に圧縮し、必要に応じて暗号／復号回路３４により所定の暗号化処理を行った後、記録媒体２００に記録を行う。
【００４３】
ＣＣＤＲＡＷモードでは、撮像素子１４の色フィルタの画素配列に応じて、ライン毎にそのまま画像データを読み出して、Ａ／Ｄ変換器１６、メモリ制御回路２２を介して、メモリ３０に書き込まれた画像データを読み出し、必要に応じて暗号／復号回路３４により所定の暗号化処理を行った後、記録媒体２００に記録を行う。
【００４４】
７２はモードダイアルスイッチで、自動撮影モード、撮影モード、パノラマ撮影モード、再生モード、マルチ画面再生・消去モード、ＰＣ接続モード等の各機能モードを切り替え設定することが出来る。
【００４５】
なお、本実施例の説明においては、特に、撮影モード、再生モード、プリントサービスモードを撮像装置１００が備える構成としている。
【００４６】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４７】
８２はコネクタ、８４はコネクタ、８６はアルカリ電池やリチウム電池等の一次電池やＮｉＣｄ電池やＮｉＭＨ電池、Ｌｉ−ｉｏｎ電池等の二次電池、ＡＣアダプター等からなる電源手段である。
【００４８】
９０はメモリカードやハードディスク等の記録媒体とのインタフェース、９２はメモリカードやハードディスク等の記録媒体と接続を行うコネクタである。
【００４９】
１０２は、撮像装置１００のレンズ１０を含む撮像部を覆う事により、撮像部の汚れや破損を防止するバリアである保護手段である。
【００５０】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００５１】
１１０は通信手段で、Ｂｌｕｅｔｏｏｔｈなどの無線通信機能、ＴＤＭＡ（Ｔｉｍｅ  Ｄｉｖｉｓｉｏｎ  Ｍｕｌｔｉｐｌｅ  Ａｃｃｅｓｓ）方式やＣＤＭＡ（Ｃｏｄｅ  Ｄｉｖｉｓｉｏｎ  Ｍｕｌｔｉｐｌｅ  Ａｃｃｅｓｓ）方式、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式、ＰＨＳ（Ｐｅｒｓｏｎａｌ  Ｈａｎｄｙｐｈｏｎｅ  Ｓｙｓｔｅｍ）方式等の携帯電話通信機能を有する。また、通信手段１１０は、ＲＳ２３２ＣやＵＳＢ（Ｕｎｉｖｅｒｓａｌ  Ｓｅｒｉａｌ  Ｂｕｓ）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  １３９４、Ｐ１２８４、ＳＣＳＩ（Ｓｍａｌｌ  Ｃｏｍｐｕｔｅｒ  Ｓｙｓｔｅｍ  Ｉｎｔｅｒｆａｃｅ）、モデム、ＬＡＮ（Ｌｏｃａｌ  Ａｒｅａ  Ｎｅｔｗｏｒｋ）等の有線通信、ＩｒＤＡ（Ｉｎｆｒａｒｅｄ  Ｄａｔａ  Ａｓｓｏｃｉａｔｉｏｎ）などの赤外線通信、光通信等の各種通信機能を有する構成としても良い。
【００５２】
１１２はアンテナ（或いはコネクタ）で、通信手段１１０により撮像装置１００を、パケット網、ネットワークを介して画像情報管理装置（画像ゲートウェイ）と接続する際には、ネットワーク、インターネットを介して他の機器と接続する際のアンテナ、或いは有線通信の場合はコネクタである。
【００５３】
記録媒体２００は、半導体メモリや磁気ディスク等から構成される記録部２０２、撮像装置１００とのインタフェース２０４、撮像装置１００と接続を行うコネクタ２０６を備えている。なお、記録媒体２００は本実施例では撮像装置１００に内蔵される構成として説明している。
【００５４】
５４は外部から視認しやすい位置に取り付けられた表示器である。また、５４は、回転、開閉する表示である。５４は光学ファインダーのように覗き込んで確認するための表示器である。
【００５５】
７０は表示先の切り替え、表示先に表示する表示内容の切り替えに使用する操作部材である。
【００５６】
［メインフロー］
図２及び図４は本実施例の画像処理装置１００の主ルーチンのフローチャートを示す。
図２及び図３を用いて、画像処理装置１００の動作を説明する。
【００５７】
電池交換等の電源投入により、システム制御回路５０はフラグや制御変数等を初期化し（Ｓ１０１）、画像表示部２８の画像表示をＯＦＦ状態に初期設定する（Ｓ１０２）。
【００５８】
システム制御回路５０は、モードダイアル６０の設定位置を判断し、モードダイアル６０が電源ＯＦＦに設定されていたならば（Ｓ１０３）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ１０５）、Ｓ１０３に戻る。
【００５９】
モードダイアル６０が撮影モードに設定されていたならば（Ｓ１０３）、Ｓ１０６に進む。
モードダイアル６０がその他のモードに設定されていたならば（Ｓ１０３）、システム制御回路５０は選択されたモードに応じた処理を実行し（Ｓ１０４）、処理を終えたならばＳ１０３に戻る。
【００６０】
システム制御回路５０は、電源制御手段８０により電池等により構成される電源８６の残容量や動作情況が画像処理装置１００の動作に問題があるか否かを判断し（Ｓ１０６）、問題があるならば表示部５４を用いて画像や音声により所定の警告表示を行った後に（Ｓ１０８）、Ｓ１０３に戻る。
【００６１】
電源８６に問題が無いならば（Ｓ１０６）、システム制御回路５０は記録媒体２００或いは２１０の動作状態が画像処理装置１００の動作、特に記録媒体に対する画像データの記録再生動作に問題があるか否かを判断し（Ｓ１０７）、問題があるならば表示部５４を用いて画像や音声により所定の警告表示を行った後に（Ｓ１０８）、Ｓ１０３に戻る。
【００６２】
記録媒体２００或いは２１０の動作状態に問題が無いならば（Ｓ１０７）、Ｓ１０９に進む。システム制御回路５０は、単写撮影／連写撮影を設定する単写／連写スイッチ６８の設定状態を調べ（Ｓ１０９）、単写撮影が選択されていたならば単写／連写フラグを単写に設定し（Ｓ１１０）、連写撮影が選択されていたならば単写／連写フラグを連写に設定し（Ｓ１１１）、フラグの設定を終えたならばＳ１１２に進む。
【００６３】
単写／連写スイッチ６８によれば、シャッタースイッチＳＷ２を押した場合に１駒の撮影を行って待機状態とする単写モードと、シャッタースイッチＳＷ２を押している間は連続して撮影を行い続ける連写モードとを任意に切り替えて設定切り替えすることが出来る。
【００６４】
なお、単写／連写フラグの状態は、システム制御回路５０の内部メモリ或いはメモリ５２に記憶する。
【００６５】
システム制御回路５０は、表示部５４を用いて画像や音声により画像処理装置１００の各種設定状態の表示を行う（Ｓ１１２）。なお、画像表示部２８の画像表示がＯＮであったならば、画像表示部２８も用いて画像や音声により画像処理装置１００の各種設定状態の表示を行う。
【００６６】
続いて、システム制御回路５０は、画像表示ＯＮ／ＯＦＦスイッチ６６の設定状態を調べ（Ｓ１１３）、画像表示ＯＮに設定されていたならばＳ１１４に進む。
【００６７】
さらに、システム制御回路５０は、画像表示部開閉検知手段１０６により画像表示部２８が格納状態にあるか表示状態にあるかを判断し（Ｓ１１４）、表示状態にあると判断したならば、画像表示フラグを設定すると共に（Ｓ１１５）、画像表示部２８の画像表示をＯＮ状態に設定し（Ｓ１１６）、さらに撮像した画像データを逐次表示するスルー表示状態に設定して（Ｓ１１７）、Ｓ１３１に進む。
【００６８】
スルー表示状態に於いては、撮像素子１２、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダー機能を実現している。
【００６９】
画像表示ＯＮ／ＯＦＦスイッチ６６が画像表示ＯＦＦに設定されていたならば（Ｓ１１３）、或いは、画像表示部開閉検知手段１０６により画像表示部２８が格納状態にあると判断したならば（Ｓ１１４）、画像表示フラグを解除すると共に（Ｓ１１８）、画像表示部２８の画像表示をＯＦＦ状態に設定して（Ｓ１１９）、Ｓ１３１に進む。
【００７０】
画像表示ＯＦＦの場合は、画像表示部２８による電子ファインダー機能を使用せず、光学ファインダー１０４を用いて撮影を行う。この場合、電力消費量の大きい画像表示部２８やＤ／Ａ変換器２６等の消費電力を削減することが可能となる。
【００７１】
なお、画像表示フラグの状態は、システム制御回路５０の内部メモリ或いはメモリ５２に記憶する。
【００７２】
次にステップＳ１３１においてシャッタースイッチＳＷ１が押されていないならば、Ｓ１０３に戻る。
【００７３】
シャッタースイッチＳＷ１が押されたならば（Ｓ１３１）、システム制御回路５０はシステム制御回路５０の内部メモリ或いはメモリ５２に記憶される画像表示フラグの状態を判断し（Ｓ１３２）、画像表示フラグが設定されていたならば画像表示部２８の表示状態をフリーズ表示状態に設定して（Ｓ１３３）、Ｓ１３４に進む。
【００７４】
フリーズ表示状態に於いては、撮像素子１２、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダーに表示している。
画像表示フラグが解除されていたならば（Ｓ１３２）、Ｓ１３４に進む。
【００７５】
システム制御回路５０は、測距処理を行って撮影レンズ１０の焦点を被写体に合わせ、測光処理を行って絞り値及びシャッター時間を決定する（Ｓ１３４）。測光処理に於いて、必要であればフラッシュの設定も行う。
【００７６】
この測距・測光処理Ｓ１３４の詳細は図７を用いて後述する。
測距・測光処理Ｓ１３４を終えたならば、システム制御回路５０は、設定された撮影動作モードと測距・測光処理Ｓ１３４において最終的に決定したＩＳＯ感度の値を、ＬＣＤ  ＯＦＦ／ＯＮフラグの設定を行うか否かを判定に利用する。
【００７７】
ＩＳＯ感度の値が４００以上であれば、ステップＳ１３６に、４００未満であればステップＳ１３８に進む。ステップＳ１３６では画像表示フラグが設定されていれば、ステップＳ１３６に進みＬＣＤ  ＯＮ／ＯＦＦフラグを設定する。そうでない場合は、ステップＳ１３８に進む。
【００７８】
ここで、ＬＣＤ  ＯＮ／ＯＦＦフラグを設定する条件をＩＳＯ値の値を用い、更に閾値として４００を条件にしているが本発明においては、カメラのパラメータ、その値と共に一例に過ぎず他の条件で判定しても良い。
【００７９】
ＬＣＤ  ＯＦＦ／ＯＮフラグの設定を行う場合にはステップＳ１３８に進み、ＬＣＤ  ＯＦＦ／ＯＮフラグの設定を内部メモリ或いはメモリ５２に対して記憶する。
【００８０】
さらにステップＳ１３４において測距・測光処理を終えたならば、システム制御回路５０は、設定された撮影動作モードと測距・測光処理Ｓ１３４において決定した露出結果および現在の画像表示フラグの値から、設定すべきシャッター速度が機械シャッターの最高速側のシャッター秒時を超えているか否かを判断し（Ｓ１３８）、超えていないならば機械シャッターでのシャッター秒時の設定を行い（Ｓ１４０）、Ｓ１４１に進む。超えているならば機械シャッターと電子シャッターを併用するシャッター秒時の設定を行い（Ｓ１３９）、Ｓ１４１に進む。
【００８１】
ここで、シャッタースイッチＳＷ２が押されずに（Ｓ１４１）、さらにシャッタースイッチＳＷ１も解除されたならば（Ｓ１４２）、Ｓ１０３に戻る。
【００８２】
システム制御回路５０はシステム制御回路５０の内部メモリ或いはメモリ５２に記憶される単写／連写フラグの状態を判断し（Ｓ１４３）、単写が設定されていたならばステップＳ１４６に、連写が設定されていたならばＳ１４４に進む。
【００８３】
ここで、ステップＳ１４４の連写処理の詳細は図５を利用し、ステップＳ１４５の単写処理の詳細は図４を利用し後述する。
【００８４】
［単写処理フロー］
図４を利用して単写処理のフローを説明する。
システム制御回路５０は、撮像素子１４の電荷クリア動作を行った後に（Ｓ４００１）、撮像素子１４の電荷蓄積を開始する（Ｓ４００２）。次にステップＳ４００３においてシステム制御回路５０はシステム制御回路５０の内部メモリ或いはメモリ５２に記憶されるＬＣＤ  ＯＮ／ＯＦＦフラグの状態を判断しＬＣＤ  ＯＮ／ＯＦＦフラグがＯＮであれば、ステップＳ４００４にＬＣＤ信号をＯＦＦする処理を行い、ＯＦＦであればステップＳ４００５に進む。ここで、露光処理前にＬＣＤ装置への信号をＯＦＦにすることで、ＣＣＤ装置から読み出される画像信号にＬＣＤ装置からの混入ノイズを抑止することができる。
【００８５】
ステップＳ４００５においいてシャッター制御手段４０によって、シャッター１２を開き、撮像素子１４の露光を開始する（Ｓ４００６）。
【００８６】
ここで、フラッシュ・フラグによりフラッシュ４８が必要か否かを判断し（Ｓ４００７）、必要な場合はステップＳ４００６に進みフラッシュを発光させる。
【００８７】
なお、フラッシュ４８が使用不可能な場合はステップＳ４００７に進む。
【００８８】
ステップＳ４００９においてシステム制御回路５０は、測光データに従って撮像素子１４の露光終了を待ち、シャッター制御手段４０によって、シャッター１２を閉じ（Ｓ４０１０）、撮像素子１４の露光を終了する。
【００８９】
設定した電荷蓄積時間が経過したならば（Ｓ４０１１）、ステップＳ４０１３においてシステム制御回路５０は、撮像素子１４の電荷蓄積を終了した後、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０の所定領域への撮影画像データを書き込む。
【００９０】
次に、システム制御回路５０はシステム制御回路５０の内部メモリ或いはメモリ５２に記憶されるＬＣＤ  ＯＮ／ＯＦＦフラグの状態を判断しＬＣＤ  ＯＮ／ＯＦＦフラグがＯＮであれば、ステップＳ４０１４に進み、ＯＦＦであればステップＳ４０１６に進む。
ステップＳ４０１４では、ＬＣＤ信号のＯＮを行い、撮影した画像のレビュー表示を行う（Ｓ４０１５）。
【００９１】
ステップＳ４０１６では、図３ステップＳ１３４の測距／測光処理で決定したシャッター速度（Ｔｖ値）に応じて、システム制御回路５０は、撮像素子１４の電荷蓄積時間を決定し、その電荷蓄積時間の長短により黒引き処理を行うか否かを判定する。黒引き処理を行う場合は、ステップＳ４０１７に進み黒画像取り込み処理を行う。
【００９２】
黒画像取り込み処理の詳細については図６を利用して後述する。
黒画像取り込み処理で取り込んだ黒画像データを用いて現像処理を行う（Ｓ４０１８）ことにより、撮像素子１４の発生する暗電流ノイズや撮像素子１４固有のキズによる画素欠損等の画質劣化に関して、撮影した画像データを補正することが出来る。
【００９３】
システム制御回路５０は前ステップで現像した画像を圧縮し（Ｓ４０１９）、メディア制御装置２０を通してメディア２００に保存する。
一連の処理を終えたならば、単写撮影処理ルーチンを終了する。
【００９４】
［連写時処理フロー］
図５を利用して連写処理のフローを説明する。
システム制御回路５０は、ステップＳ５００１においてメモリ５２に画像用のメモリバッファの空き容量が十分にあるか否かを判定し、空き容量が十分にない場合は、ステップＳ５００２に進みバッファ上の画像データをメディアコントローラ９０を通じてメディア２００に書き出す操作を画像の空き容量が十分に空くまで続ける。空き容量が十分にある場合は、ステップＳ５００３に進む。
【００９５】
システム制御回路５０は、撮像素子１４の電荷クリア動作を行った後に（Ｓ５００３）、撮像素子１４の電荷蓄積を開始する（Ｓ５００４）。次にステップＳ５００５においてシステム制御回路５０はシステム制御回路５０の内部メモリ或いはメモリ５２に記憶されるＬＣＤ  ＯＮ／ＯＦＦフラグの状態を判断しＬＣＤ  ＯＮ／ＯＦＦフラグがＯＮであれば、ステップＳ５００６に進みＬＣＤ信号をＯＦＦする処理を行い、ＯＦＦであればステップＳ５００７に進む。
【００９６】
ここで、露光開始前にＬＣＤ装置への信号をＯＦＦにすることで、ＣＣＤ装置から読み出される画像信号にＬＣＤ装置からの混入ノイズを抑止することができる。ステップＳ５００８においてシャッター制御手段４０によって、シャッター１２を開き、撮像素子１４の露光を開始する（Ｓ５００８）。
【００９７】
ここで、フラッシュ・フラグによりフラッシュ４８が必要か否かを判断し（Ｓ５００９）、必要な場合はステップＳ５０１０に進みフラッシュを発光させる。
なお、フラッシュ４８が使用不可能な場合はステップＳ５０１１に進む。
ステップＳ５０１１においてシステム制御回路５０は、測光データに従って撮像素子１４の露光終了を待ち、シャッター制御手段４０によって、シャッター１２を閉じ（Ｓ５０１２）、撮像素子１４の露光を終了する。
【００９８】
設定した電荷蓄積時間が経過したならば（Ｓ５０１３）、ステップＳ５０１４においてシステム制御回路５０は、撮像素子１４の電荷蓄積を終了した後、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０の所定領域への撮影画像データを書き込む。
【００９９】
次に、システム制御回路５０はシステム制御回路５０の内部メモリ或いはメモリ５２に記憶される画像表示フラグの状態を判断し画像表示フラグがＯＮであれば、ステップＳ５１０２に進み、ＯＦＦであればステップＳ５１０３に進む。
【０１００】
ステップＳ５１０２では撮影した画像のレビュー表示用の現像処理を行い、処理が終了するとステップＳ５１０とステップＳ５１０４の並行処理を行う。
【０１０１】
ステップＳ５１０３、ステップＳ５１０４では、メディア２００に記録する画像として本現像処理、圧縮処理を行う。
【０１０２】
ステップＳ５１０５においてシステム制御回路５０はシステム制御回路５０の内部メモリ或いはメモリ５２に記憶されるＬＣＤ  ＯＮ／ＯＦＦフラグの状態を判断しＬＣＤ  ＯＮ／ＯＦＦフラグがＯＮであれば、ステップＳ５００６に進みＬＣＤ信号のＯＮ処理を行う、ＯＦＦであればステップＳ５１０７に進む。
【０１０３】
ステップＳ５１０７においてい撮影画像のレビュー表示を行い、所定の時間レビュー表示が行われているかを確認（ステップＳ５１０８）し所定の時間が経過後、ステップＳ５１０９に進み、レビュー表示を停止する。
【０１０４】
ステップＳ５１１０においてシステム制御回路５０はシステム制御回路５０の内部メモリ或いはメモリ５２に記憶されるＬＣＤ  ＯＮ／ＯＦＦフラグの状態を判断しＬＣＤ  ＯＮ／ＯＦＦフラグがＯＮであれば、ステップＳ５１１１に進みＬＣＤ信号のＯＦＦ処理を行う、フラグがＯＦＦであればステップＳ５１１２に進む。
【０１０５】
次にシステム制御回路５０は、シャッタースイッチＳＷ２が押されている場合（Ｓ５１１２）は、Ｓ５００１に戻って処理を継続する。シャッタースイッチＳＷ２が押されていない場合（Ｓ５１１２）は、撮影処理ルーチンを終了する。
【０１０６】
［黒画像取り込み処理］
図６を利用して黒画像取り込み処理のフロー詳細を説明する。
【０１０７】
システム制御回路５０は、ＬＣＤ装置に対し黒引き処理を行っている旨のメッセージを表示する（Ｓ６０００１）。
【０１０８】
システム制御回路５０は、撮像素子１４の電荷クリア動作を行った後に（Ｓ６００２）、シャッター１２が閉じた状態で、撮像素子１４の電荷蓄積を開始する（Ｓ６００３）。
【０１０９】
次に露光を開始（Ｓ６００４し、）設定した所定の電荷蓄積時間が経過したならば（Ｓ６００５）、システム制御回路５０は、撮像素子１４の電荷蓄積を終了した後（Ｓ６００６）、ステップＳ６００７に進み、システム制御回路５０の内部メモリ或いはメモリ５２に記憶されるＬＣＤ  ＯＮ／ＯＦＦフラグの状態を判断しＬＣＤ  ＯＮ／ＯＦＦフラグがＯＮであれば、ステップＳ６００８に進みＬＣＤ信号のＯＦＦ処理を行う、フラグがＯＦＦであればステップＳ６００９に進む。
【０１１０】
ここで、黒画像の取り込み前にＬＣＤ装置への信号をＯＦＦにすることで、ＣＣＤ装置から読み出される信号にＬＣＤ装置からの混入ノイズを抑止することができる。
【０１１１】
次に、システム制御回路５０は、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０の所定領域への画像データ（黒画像データ）を書き込む（Ｓ６００９）。
【０１１２】
一連の処理を終えたならば、黒画像取り込み処理ルーチンを終了する。
【０１１３】
［測距／測光処理］
図７は、図３のＳ１３４における測距・測光処理の詳細なフローチャートを示す。
【０１１４】
なお、測距・測光処理においては、システム制御回路５０と絞り制御手段３４０或いは測距制御手段３４２との間の各種信号のやり取りは、インタフェース１２０、コネクタ１２２、コネクタ３２２、インタフェース３２０、レンズ制御手段３５０を介して行われる。
【０１１５】
システム制御回路５０は、撮像素子１４測距手段４２及び測距制御手段３４２を用いて、ＡＦ（オートフォーカス）処理を開始する（Ｓ７００１）。
【０１１６】
システム制御回路５０は、レンズ３１０に入射した光線を、絞り３１２、レンズマウント３０６及び１０６、ミラー１３０、不図示の測距用サブミラーを介して、測距手段４２に入射させることにより、光学像として結像された画像の合焦状態を判断し、測距（ＡＦ）が合焦と判断されるまで（Ｓ７００４）、測距制御手段３４２を用いてレンズ３１０を駆動しながら、測距手段４２を用いて合焦状態を検出するＡＦ制御を実行する（Ｓ７００３）。
【０１１７】
測距（ＡＦ）が合焦と判断したならば（Ｓ７００４）、システム制御回路５０は、撮影画面内の複数の測距点の中から合焦した測距点を決定し、決定した測距点データと共に測距データ及び或いは設定パラメータをシステム制御回路５０の内部メモリ或いはメモリ５２に記憶しＳ７００５に進む。
【０１１８】
続いて、システム制御回路５０は、測光手段４６を用いて、ＡＥ（自動露出）処理を開始する（Ｓ７００５）。
【０１１９】
システム制御回路５０は、レンズ３１０に入射した光線を、絞り３１２、レンズマウント３０６及び１０６、ミラー１３０及び１３２そして不図示の測光用レンズを介して、測光手段４６に入射させることにより、光学像として結像された画像の露出状態を測定し、露出（ＡＥ）が適正と判断されるまで（Ｓ７０６）、露光制御手段４０を用いて測光処理を行う（Ｓ７０６）。
【０１２０】
露出（ＡＥ）が適正と判断したならば（Ｓ７０７）、システム制御回路５０は、測光データ及び或いは設定パラメータをシステム制御回路５０の内部メモリ或いはメモリ５２に記憶し、Ｓ７０８に進む。
【０１２１】
なお、測光処理Ｓ７０６で検出した露出（ＡＥ）結果と、モードダイアル６０によって設定された撮影モードに応じて、システム制御回路５０は、絞り値（Ａｖ値）、シャッター速度（Ｔｖ値）が決定する。
【０１２２】
そして、ここで決定したシャッター速度（Ｔｖ値）に応じて、システム制御回路５０は、撮像素子１４の電荷蓄積時間を決定し、等しい電荷蓄積時間で撮影処理及びダーク取り込み処理をそれぞれ行う。
【０１２３】
測光処理Ｓ７０６で得られた測定データにより、システム制御回路５０はフラッシュが必要か否かを判断し（Ｓ７０８）、フラッシュが必要ならばフラッシュフラグをセットし、フラッシュ４８の充電が完了するまで（Ｓ７１０）、フラッシュ４８を充電する（Ｓ７０９）。
【０１２４】
フラッシュ４８の充電が完了したならば（Ｓ７１０）、測距・測光処理ルーチンＳ１３４を終了する。
【図面の簡単な説明】
【０１２５】
【図１】本発明の一実施例の全体ブロック図である。
【図２】本実施例１におけるメインシーケンスのフローチャートである。
【図３】本実施例１におけるメインシーケンスのフローチャートである。
【図４】本実施例１における単写処理のフローチャートである。
【図５】本実施例１における連写処理のフローチャートである。
【図６】本実施例１における黒画像取り込み処理のフローチャートである。
【図７】本実施例１における測距／測光処理のフローチャートである。
【図１】
2008072326.tif 000003
【図２】
2008072326.tif 000004
【図３】
2008072326.tif 000005
【図４】
2008072326.tif 000006
【図５】
2008072326.tif 000007
【図６】
2008072326.tif 000008
【図７】
2008072326.tif 000009